(57)【要約】【課題】  開放型の油入電気機器において、内部異常の診断精度を向上させることのできる油入電気機器の異常診断装置および異常診断方法を提供する。【解決手段】  油入電気機器の呼吸管７上に分解ガスが通過する第１の経路１１ａと、外気が通過する第２の経路１１ｂと、第１の経路１１ａに設置される水素吸蔵合金９と、第２の経路１１ｂに設置される水素吸蔵合金１２からなる異常診断手段８を備え、第１の経路１１ａに設置される水素吸蔵合金９に一旦吸収させた水素量を確認することによって、油入電気機器の内部異常の診断を行う。【選択図】        図３
2017079246.tif 000002
【特許請求の範囲】
【請求項１】
機器本体を絶縁油とともにタンク中に収容してなる油入電気機器において、当該油入電気機器の吸湿呼吸器を取り付ける呼吸経路上に、分解ガスが通過する第１の経路と、外気が通過する第２の経路と、前記第１の経路に前記分解ガス中の水素を吸蔵する合金を設置してなる異常診断手段を備えて構成したことを特徴とする油入電気機器の異常診断装置。
【請求項２】
機器本体を絶縁油とともにタンク中に収容してなる油入電気機器において、当該油入電気機器の吸湿呼吸器を取り付ける呼吸経路上に、分解ガスが通過する第１の経路と、外気が通過する第２の経路と、前記第１の経路に分解ガス中の水素を吸蔵する第１の合金を、前記第２の経路に外気中の水素を吸蔵する第２の合金を設置してなる異常診断手段を備えて構成したことを特徴とする油入電気機器の異常診断装置。
【請求項３】
前記第１の経路と第２の経路には、それぞれ分解ガス及び外気のみを通過させる逆止弁を備えて構成したことを特徴とする請求項１又は請求項２の何れかに記載の油入電気機器の異常診断装置。
【請求項４】
機器本体を絶縁油とともにタンク中に収容してなる油入電気機器において、当該油入電気機器の吸湿呼吸器を取り付ける呼吸経路上に、分解ガス中の水素を吸蔵する合金と、大気中の水素を吸蔵する合金を直列配置して構成したことを特徴とする油入電気機器の異常診断装置。
【請求項５】
機器本体を絶縁油とともにタンク中に収容してなる油入電気機器において、当該油入電気機器の吸湿呼吸器を取り付ける呼吸経路上に、分解ガスが通過する第３の経路と、外気が通過する第４の経路と、前記第３の経路に分解ガス中の水素を吸蔵する第１の合金を設置してなる異常診断手段を、前記第４の経路に外気中の水素を吸蔵する第２の合金を設置してなる診断補助手段を備えて構成したことを特徴とする油入電気機器の異常診断装置。
【請求項６】
前記第３の経路と第４の経路には、それぞれ分解ガス及び外気のみを通過させる逆止弁を備えて構成したことを特徴とする請求項５記載の油入電気機器の異常診断装置。
【請求項７】
油入電気機器の吸湿呼吸器を取り付ける呼吸経路上に、絶縁材料の分解ガス中の水素を吸蔵する合金と、大気中の水素を吸蔵する合金を配置し、前記分解ガス中の水素を吸蔵した合金から水素を吐出させ、その水素量を測定することによって油入電気機器の内部異常を診断する油入電気機器の異常診断方法。
【発明の詳細な説明】
【技術分野】
【０００１】
本発明は、絶縁油によって絶縁を施した油入電気機器の異常診断装置および異常診断方法に関するものである。
【背景技術】
【０００２】
従来から、油入電気機器の内部診断技術としては油中ガス分析が広く利用されている。油入電気機器の内部異常現象は、絶縁破壊や局部過熱等、発熱を伴うものであり、発熱源に接触した絶縁油や絶縁紙、或いは、プレスボードやベークライト等の絶縁材料は化学分解反応を起こし、一酸化炭素（ＣＯ）や二酸化炭素（ＣＯ2）、水素（Ｈ2）やメタン（ＣＨ4）、エタン（Ｃ2Ｈ6）、エチレン（Ｃ2Ｈ4）、アセチレン（Ｃ2Ｈ2）等の炭化水素ガスを発生する。
【０００３】
発生する炭化水素ガスは絶縁油に対する溶解度が大きいものが多く、その大部分が絶縁油中に溶解するので、油入電気機器から採取した絶縁油中のガスを抽出・分析して、そのガス量とガスの組成を測定することによって、油入電気機器内部の異常の有無と、異常の程度を判定することが可能となる。
【０００４】
ところが、油入電気機器に低温異常過熱が発生した場合は、絶縁油の化学分解反応により発生する前述した炭化水素ガスの量は少なく、また、油入電気機器は正常運転している場合においても炭化水素ガスを発生するので、油入電気機器が正常運転状態にあるのか異常運転状態にあるのかの判別が困難であった。このことから、密封形の油入電気機器であれば、発生したガスが長期間に渡って絶縁油中に残留・蓄積するので、油中ガス分析によって低温異常過熱の発見が可能であったとしても、短期間で発見することは非常に難しかった。
【０００５】
また、開放型の油入電気機器にあっては、発生したガスが吸湿呼吸器の呼吸作用によって吸湿呼吸器を介して外気に散逸するため、絶縁油中のガス溶存量が減少し、結果、低温異常過熱を発見することが、油中ガス分析によっても、事実上、不可能であった。
【０００６】
そこで、本出願人は、油入電気機器の呼吸経路上に分解ガス中の水素を吸蔵する合金を配置し、油入電気機器の呼吸作用を利用して当該合金に絶縁ガス中の水素を一旦吸蔵し、その後、当該合金から水素を吐出させてその水素量を測定することにより、油入電気機器の内部異常を診断する方法を提案した（下記特許文献１参照）。
【０００７】
この方法によれば、開放型の油入電気機器において、低温異常過熱の有無と程度を診断することが可能となる。
【先行技術文献】
【特許文献】
【０００８】
【特許文献１】特許第５８０６４７５号
【発明の概要】
【発明が解決しようとする課題】
【０００９】
しかし、上記特許文献１記載の方法では、油入電気機器の呼吸経路上に配置した合金が油入電気機器の外気にも接触するので、外気中に含まれる水素も吸蔵することになる。
【００１０】
外気中の水素量は、数［ｐｐｍ］以下であり、分解ガス中の水素量と比較して非常に少ないので、上記特許文献１記載の方法でも十分、低温異常過熱の有無と程度の診断は可能であるが、厳密に言えば、分解ガス中の水素量を正確に測定ができない。
【００１１】
そこで、本発明は、上記特許文献１記載の方法を改良することによって、分解ガス中の水素量を正確に測定することを可能とし、低温異常過熱の有無と程度の診断精度を向上させることのできる油入電気機器の異常診断装置および異常診断方法を提供することとした。
【課題を解決するための手段】
【００１２】
請求項１記載の発明は、機器本体を絶縁油とともにタンク中に収容してなる油入電気機器において、当該油入電気機器の吸湿呼吸器を取り付ける呼吸経路上に、分解ガスが通過する第１の経路と、外気が通過する第２の経路と、前記第１の経路に前記分解ガス中の水素を吸蔵する合金を設置してなる異常診断手段を備えて構成したことに特徴を有する。
【００１３】
請求項２記載の発明は、機器本体を絶縁油とともにタンク中に収容してなる油入電気機器において、当該油入電気機器の吸湿呼吸器を取り付ける呼吸経路上に、分解ガスが通過する第１の経路と、外気が通過する第２の経路と、前記第１の経路に分解ガス中の水素を吸蔵する第１の合金を、前記第２の経路に外気中の水素を吸蔵する第２の合金を設置してなる異常診断手段を備えて構成したことに特徴を有する。
【００１４】
請求項３記載の発明は、請求項１又は請求項２の何れかに記載の発明において、第１の経路と第２の経路には、それぞれ分解ガス及び外気のみを通過させる逆止弁を備えて構成したことに特徴を有する。
【００１５】
請求項４記載の発明は、機器本体を絶縁油とともにタンク中に収容してなる油入電気機器において、当該油入電気機器の吸湿呼吸器を取り付ける呼吸経路上に、分解ガス中の水素を吸蔵する合金と、大気中の水素を吸蔵する合金を直列配置して構成したことに特徴を有する。
【００１６】
請求項５記載の発明は、機器本体を絶縁油とともにタンク中に収容してなる油入電気機器において、当該油入電気機器の吸湿呼吸器を取り付ける呼吸経路上に、分解ガスが通過する第３の経路と、外気が通過する第４の経路と、第３の経路に分解ガス中の水素を吸蔵する第１の合金を設置してなる異常診断手段を、第４の経路に外気中の水素を吸蔵する第２の合金を設置してなる診断補助手段を備えて構成したことに特徴を有する。
【００１７】
請求項６記載の発明は、請求項５記載の発明において、第３の経路と第４の経路には、それぞれ分解ガス及び外気のみを通過させる逆止弁を備えて構成したことに特徴を有する。
【００１８】
請求項７記載の発明は、油入電気機器の吸湿呼吸器を取り付ける呼吸経路上に、絶縁材料の分解ガス中の水素を吸蔵する合金と、大気中の水素を吸蔵する合金を配置し、前記分解ガス中の水素を吸蔵した合金から水素を吐出させ、その水素量を測定することによって油入電気機器の内部異常を診断することに特徴を有する。
【発明の効果】
【００１９】
請求項１記載の発明によれば、分解ガスのみが通過する第１の経路に、分解ガス中の水素を吸蔵する合金を設置したので、油入電気機器の内部異常によって生じた水素を当該合金に吸蔵させることができ、内部異常診断の精度を向上させることができる。
【００２０】
請求項２記載の発明によれば、請求項１記載の発明の効果に加え、外気が通過する第２の経路にも水素を吸蔵する合金を設置したので、外気中の水素が一旦、油入電気機器内部に入り、それを第１の経路に設置した合金が吸蔵することを防止でき、内部異常診断の精度をより一層、向上させることができる。
【００２１】
請求項３記載の発明によれば、逆止弁を利用するといった簡易な構造によって、第１の経路と第２の経路のそれぞれに、分解ガス及び外気のみを通過させることが可能となる。
【００２２】
請求項４記載の発明によれば、油入電気機器の呼吸経路上に、外気中の水素を吸蔵する合金を追加配置するだけで、従来技術による内部異常診断の精度を向上させることが可能となる。
【００２３】
請求項５記載の発明によれば、油入電気機器の内部異常診断の精度を向上させつつ、第３の経路と第４の経路に設置した水素を吸蔵する合金の出し入れが容易となる。
【００２４】
請求項６記載の発明によれば、構造を単純化した異常診断装置手段の提供が可能となる。
【００２５】
請求項７記載の発明によれば、分解ガス中の水素を吸蔵する合金に、大気中の水素が吸蔵されることを確実に防止して、分解ガス中の水素を吸蔵した合金から水素を吐出させてその水素量を測定することにより、油入電気機器の低温異常過熱の診断精度を向上させることができる。
【図面の簡単な説明】
【００２６】
【図１】本発明の第１実施例を示す油入電気機器の正面図である。
【図２】本発明に係る油入電気機器の運転年数と分解ガスの発生量との関係を示すグラフである。
【図３】第１実施例に係る異常診断手段の構造を示す図である。
【図４】本発明の第２実施例を示す油入電気機器の正面図である。
【図５】第２実施例に係る異常診断手段又は診断補助手段の構造を示す図である。
【図６】本発明の第３実施例を示す油入電気機器の正面図である。
【図７】第３実施例に係る異常診断手段又は診断補助手段の構造を示す図である。
【発明を実施するための形態】
【００２７】
以下、本発明の実施の形態について図１乃至図７を用いて説明する。図１は本発明に係る異常診断方法を採用した油入電気機器（油入変圧器Ａ）の正面図である。図１において、１は油入変圧器Ａのタンクであり、２はタンク１内に収容・固定される、鉄心やコイル等からなる変圧器本体である。
【００２８】
３は変圧器タンク１内に充填されて、変圧器本体２を冷却および絶縁する絶縁油であり、４は変圧器タンク１の上部に取り付けられたコンサーベーターを示している。
【００２９】
５は変圧器タンク１の下部に設けられて、変圧器タンク１内に充填した絶縁油３を抜き取る排油コックを示している。当該排油コック５には、注射器を接続してピストンを引く操作をしたり、或いは、油３の自重によって、ほぼ大気に晒すことなく変圧器タンク１内から絶縁油３を採取できる。
【００３０】
６はコンサーベーター４の上部に一端を連結した呼吸管７の他端に接続される吸湿呼吸器であり、その内部にはシリカゲル等の吸湿剤（図示せず）が収容され、呼吸管７を介して変圧器タンク１内に湿った空気が流入することを防いでいる。
【００３１】
８は低温異常過熱の異常診断手段を示している。異常診断手段８は、ケース（外筒）８ａ内に分解ガス中の水素ガスを吸蔵する合金を収容して構成されている。水素吸蔵合金とは水素を取り込む性質のある金属を合金化することによって最適化し、水素を吸わせることを目的として開発された合金であり、水素貯蔵合金とも言われる。
【００３２】
以上のごとく構成される油入変圧器Ａは、正常運転時においても、前述した化学分解反応によって炭化水素ガスが発生し、ガス中の例えば水素の量と、油入変圧器Ａの運転年数の関係は一般的に図２に示す比例関係となる。
【００３３】
図３（ａ）は前記異常診断手段８の構造を示す斜視図である。異常診断手段８は中空円筒上の外筒８ａ及び内筒８ｂからなり、外筒８ａと内筒８ｂ間に水素吸蔵合金９と第１の逆止弁１０ａが設置されている。第１の逆止弁１０ａは、異常診断手段８の上方から流れる分解ガスを異常診断手段８の下方へ通過させることができる。
【００３４】
内筒８ｂの最上部には、第２の逆止弁１０ｂが設置されている。第２の逆止弁１０ｂは、異常診断手段８の下方から流れる外気を異常診断手段８の上方へ通過させることができる。
【００３５】
つづいて、上記異常診断手段８によって油入変圧器Ａの低温異常過熱を診断する方法について説明する。油入変圧器Ａの内部に低温異常過熱が発生すると、発熱源に接触した絶縁油３や絶縁紙等の絶縁材料は化学分解反応を起こす。
【００３６】
この化学分解反応によって、水素等の炭化水素ガスが発生し絶縁油３中に溶解する。炭化水素ガスのうち例えば、水素の発生量は、図２に示すように、正常運転時と比較して増加し、正常運転時の比例関係から逸脱する。
【００３７】
発生量が増加した水素は、図１に示す油入変圧器Ａのコンサーベーター４中の絶縁油３の油面から呼吸管７内へ揮発して流入する。呼吸管７には、前述のごとく異常診断手段８が接続されているので、呼吸管７内へ流入した水素は異常診断手段８へと送られる。
【００３８】
異常診断手段８に送られた水素は、図３（ａ）に示す外筒８ａと内筒８ｂ間の第１の経路１１ａに設置した水素吸蔵合金９に吸収される。水素以外の分解ガスは、第１の経路１１ａに設置した第１の逆止弁１０ａを通過して、異常診断手段８下方の呼吸管７内へ流入し、図１に示す吸湿呼吸器６を介して外部へ放出される。なお、異常診断手段８に送られた水素を含む分解ガスは、第２の逆止弁１０ｂによって、内筒８ｂ内に流入することはない。
【００３９】
一方、油入変圧器Ａの外気（空気）は、油入変圧器Ａの呼吸作用によって、吸湿呼吸器６を介して呼吸管７に流入する。流入した空気は異常診断手段８の内筒８ｂ内に流入し、第２の逆止弁１０ｂを通過して油入変圧器Ａ内へ送り込まれる。なお、第１の逆止弁１０ａの存在によって、異常診断手段８内に流入した空気が水素吸蔵合金９に吸収されることはない。したがって、異常診断手段８の水素吸蔵合金９に吸収される水素量は、油入変圧器Ａの低温異常過熱によって発生した分解ガス（炭化水素ガス）のみとなる。
【００４０】
異常診断手段８の水素吸蔵合金９に分解ガス（炭化水素ガス）を吸収させた後は、水素吸蔵合金９を異常診断手段８から取り出し、これをヒーター等を利用して加熱することによって、当該合金９に一旦吸収した水素を吐出させる。そして吐出させた水素を薬剤と反応させることによって、合金９に吸収されていた水素量を測定し、その結果をもって、油入変圧器Ａの低温異常過熱の有無と程度を診断する。
【００４１】
また、別の方法としては、異常診断手段８から水素吸蔵合金９を取り出した後、これを加熱することによって吸収していた水素を吐出させ、吐出させた水素をガスクロマトグラフで分析することによって、合金９に吸収されていた水素量を確認し、油入変圧器Ａの低温異常過熱の有無と程度を診断するようにしても良い。
【００４２】
図３（ｂ）は前記異常診断手段８の他の構成を示す図である。図３（ｂ）に示す異常診断手段８は、内筒８ｂ内にも水素吸蔵合金１２を設置する点で同図（ａ）に示す異常診断装置８と構成が異なる。
【００４３】
内筒８ｂ内に水素吸蔵合金１２を設置することにより、外気に含まれる水素を吸蔵することができ、油入変圧器Ａ内に水素が流入することを防止する。これにより、低温異常過熱時に発生する水素に、一旦、油入変圧器Ａ内に外気によって流入した水素が加わって、異常診断装置８の水素吸蔵合金９に吸収されることを確実に阻止し、低温過熱異常の診断精度が低下することを防止することができる。特に、水素吸蔵合金１２にマグネシウム合金系を採用することにより、水素吸蔵合金１２に一旦吸収された水素は放出されにくくなり、油入変圧器Ａ内に外気中の水素が流入することを極力防止することができる。
【００４４】
図４は本発明の第２の実施例における油入変圧器Ａの正面図であり、図１に示す油入変圧器Ａと同一部分は同一符号を付してその説明を省略する。図４の油入変圧器Ａは、呼吸管７の吸湿呼吸器６の上段に、低温異常過熱の異常診断手段１３と診断補助手段１４を備えて構成されている。診断補助手段１４は、ケース（外筒）１４ａ内に外気中の水素を吸蔵する合金を収容して構成されている。
【００４５】
図４に示す油入変圧器Ａにおいて、低温異常過熱が発生した場合、絶縁油３や絶縁紙等の絶縁材料が化学反応を起こし、水素等の炭化水素ガスが発生する。発生した炭化水素ガスのうち例えば、水素の発生量は、図２に示すように、正常運転時と比較して増加し、正常運転時の比例関係から逸脱する。
【００４６】
発生量が増加した水素は、図４に示す油入変圧器Ａのコンサーベーター４中の絶縁油３の油面から揮発して呼吸管７内へ流入する。呼吸管７には、前述のごとく異常診断手段８が接続されているので、呼吸管７内へ流入した水素は異常診断手段１３へと送られる。
【００４７】
異常診断手段１３に送られた炭化水素ガスは、異常診断手段１３のケース１３ａ内に収容された水素吸蔵合金１３ｂ（図５参照）によって吸収される。
【００４８】
一方、油入変圧器Ａの外気（空気）は、油入変圧器Ａの呼吸作用によって、吸湿呼吸器６を介して呼吸管７に流入する。流入した空気中の水素は診断補助手段１４を構成する水素吸蔵合金１４ｂ（図５参照）によって吸収され、異常診断手段１３を構成する合金１３ｂに吸収されることはない。特に、水素吸蔵合金１４ｂにマグネシウム合金系を採用することにより、水素吸蔵合金１４ｂに一旦吸収された水素は放出されにくくなり、水素吸蔵合金１３ｂに吸収されることを極力防止できる。したがって、異常診断手段１３の合金１３ｂに吸収される水素量は、油入変圧器Ａの低温異常過熱によって発生した分解ガス（炭化水素ガス）のみとなる。
【００４９】
異常診断手段１３の水素吸蔵合金１３ｂに分解ガス（炭化水素ガス）を吸収させた後は、水素吸蔵合金１３ｂを異常診断手段１３のケース１３ａから取り出し、これをヒーター等を利用して加熱することによって、当該合金１３ｂに一旦吸収した水素を吐出させる。そして吐出させた水素を薬剤と反応させることによって、合金１３ｂに吸収されていた水素量を測定し、その結果をもって、油入変圧器Ａの低温異常過熱の有無と程度を診断する。
【００５０】
また、別の方法としては、異常診断手段１３から水素吸蔵合金１３ｂを取り出した後、これを加熱することによって吸収していた水素を吐出させ、吐出させた水素をガスクロマトグラフで分析することによって、合金１３ｂに吸収されていた水素量を確認し、油入変圧器Ａの低温異常過熱の有無と程度を診断するようにしても良い。
【００５１】
なお、異常診断手段１３及び診断補助手段１４には、例えば、図５に示すように、ケース１３ａ，１４ａの前面の一部（Ｈ）を開口するスライド式の扉１３ｃ，１４ｃを設けることにより、ケース１３ａ，１４ａ内に収容された水素吸蔵合金１３ｂ，１４ｂの出し入れが容易となるように構成すれば良い。
【００５２】
図６は本発明の第３の実施例における油入変圧器Ａの正面図であり、図４に示す油入変圧器Ａと同一部分は同一符号を付してその説明を省略する。
【００５３】
図６に示す油入変圧器Ａにおいて、図４と異なるところは、吸湿呼吸器６の上段の呼吸管７上に、二股管１５を介して、異常診断手段１６と診断補助手段１７を並置した点である。
【００５４】
異常診断手段１６は図７に示すように、二股管１５の第１の経路１５ａ上に設置され、ケース１６ａ内には分解ガス中の水素を吸収する合金１６ｂが収容されている。異常診断手段１６の下部には、分解ガスが異常診断手段１６の上方から下方へのみ通過する逆止弁１８が取り付けられている。
【００５５】
診断補助手段１７は、二股管１５の第２の経路１５ｂ上に設置され、ケース１７ａ内には分解ガス中の水素を吸収する合金１７ｂが収容されている。診断補助手段１７の上部には、外気が診断補助手段１７の下方から上方へのみ通過する逆止弁１９が取り付けられている。
【００５６】
図６に示す油入変圧器Ａにおいて、低温異常過熱が発生した場合、絶縁油３や絶縁紙等の絶縁材料が化学反応を起こし、水素等の炭化水素ガスが発生する。発生した炭化水素ガスのうち例えば、水素の発生量は、図２に示すように、正常運転時と比較して増加し、正常運転時の比例関係から逸脱する。
【００５７】
発生量が増加した水素は、図６に示す油入変圧器Ａのコンサーベーター４中の絶縁油３の油面から揮発して呼吸管７内へ流入する。呼吸管７に流入した水素は、図７に示す二股管１５へと送られる。
【００５８】
二股管１５に送られた炭化水素ガスは、二股管１５の第１の経路１５ａを通って異常診断手段１６のケース１６ａ内に収容された水素吸蔵合金１６ｂによって吸収される。なお、二股管１５に送られた炭化水素ガスは、二股管１５の第２の経路１５ｂにも流入するが、診断補助手段１７に取り付けられた逆止弁１９の存在によって、診断補助手段１７を構成する水素吸蔵合金１７ｂに吸収されることはない。
【００５９】
一方、油入変圧器Ａの外気（空気）は、油入変圧器Ａの呼吸作用によって、吸湿呼吸器６を介して呼吸管７に流入する。流入した空気中の水素は二股管１５の第２の経路１５ｂを通って診断補助手段１７を構成する水素吸蔵合金１７ｂ（図７参照）によって吸収される。なお、外気は二股管１５の第１の経路１５ａにも流入するが、第１の経路１５ａに設置された異常診断手段１６の逆止弁１８の存在によって、異常診断手段１６を構成する水素吸蔵合金１６ｂに吸収されることはない。
【００６０】
特に、水素吸蔵合金１７ｂにマグネシウム合金系を採用することにより、水素吸蔵合金１７ｂに一旦吸収された水素は放出されにくくなり、油入変圧器Ａ内に外気中の水素が流入することを極力防止することができる。したがって、異常診断手段１６の合金１６ｂに吸収される水素量は、油入変圧器Ａの低温異常過熱によって発生した分解ガス（炭化水素ガス）のみとなる。
【００６１】
異常診断手段１６の水素吸蔵合金１６ｂに分解ガス（炭化水素ガス）を吸収させた後は、水素吸蔵合金１６ｂを異常診断手段１６のケース１６ａから取り出し、これをヒーター等を利用して加熱することによって、当該合金１６ｂに一旦吸収した水素を吐出させる。そして吐出させた水素を薬剤と反応させることによって、合金１６ｂに吸収されていた水素量を測定し、その結果をもって、油入変圧器Ａの低温異常過熱の有無と程度を診断する。
【００６２】
また、別の方法としては、異常診断手段１６から水素吸蔵合金１６ｂを取り出した後、これを加熱することによって吸収していた水素を吐出させ、吐出させた水素をガスクロマトグラフで分析することによって、合金１６ｂに吸収されていた水素量を確認し、油入変圧器Ａの低温異常過熱の有無と程度を診断するようにしても良い。
【００６３】
なお、異常診断手段１６及び診断補助手段１７には、例えば、図７に示すように、ケース１６ａ，１７ａの前面の一部（Ｈ）を開口するスライド式の扉１６ｃ，１７ｃを設けることにより、ケース１６ａ，１７ａ内に収容された水素吸蔵合金１６ｂ，１７ｂの出し入れが容易となるように構成すれば良い。
【００６４】
以上説明したように、本発明によれば、逆止弁や複数個の水素吸蔵合金を使用することにより、油入変圧器Ａの低温異常過熱の診断精度を従来技術と比較して向上させることが可能となる。
【００６５】
また、診断精度の向上を図るに当たり、油入変圧器Ａの大幅な改造が必要ない利点も有する。
【産業上の利用可能性】
【００６６】
油入変圧器等の内部異常の診断に利用可能である。
【符号の説明】
【００６７】
１  変圧器タンク
２  変圧器本体
３  絶縁油
４  コンサーベーター
５  排油コック
６  吸湿呼吸器
７  呼吸管
８，１３，１６  異常診断手段
８ａ，１３ａ，１４ａ，１６ａ，１７ａ  ケース（外筒）
１３ｃ，１４ｃ，１６ｃ，１７ｃ  扉
８ｂ  内筒
１０ａ，１０ｂ，１８，１９  逆止弁
１３ｂ，１４ｂ，１６ｂ，１７ｂ  水素吸蔵合金
１４，１７  診断補助手段
１５  二股管
１５ａ  第１の経路
１５ｂ  第２の経路
Ａ  油入変圧器
Ｈ  前面の一部（開口）
【図１】
2017079246.tif 000003
【図２】
2017079246.tif 000004
【図３】
2017079246.tif 000005
【図４】
2017079246.tif 000006
【図５】
2017079246.tif 000007
【図６】
2017079246.tif 000008
【図７】
2017079246.tif 000009